(57)【特許請求の範囲】
【請求項１】
パネル体を用いて天板上の空間を仕切るテーブルにおけるパネル装置であって、
前記天板上に配置される下部フレームには、該下部フレームから上方に向かって立設された少なくとも２つのパネル体が重畳されて設けられるとともに、該各パネル体の内、少なくとも一方のパネル体がスライド移動可能となっており、前記各パネル体には、所定の性質を有する第１透過部と、該第１透過部と異なる性質を有する第２透過部と、が設けられ、前記各パネル体における前記第１透過部同士及び前記第２透過部同士が重畳されたときの該パネル体全体の透過性と、前記各パネル体における前記第１透過部と前記第２透過部とが重畳されたときの該パネル体全体の透過性と、が異なるようになっていることを特徴とするテーブルにおけるパネル装置。
【請求項２】
前記各パネル体には、前記第１透過部と前記第２透過部とが略等間隔に交互に並設されており、前記少なくとも一方のパネル体は、前記各パネル体における前記第１透過部同士及び前記第２透過部同士が重畳される位置と、前記各パネル体における前記第１透過部と前記第２透過部とが重畳される位置と、の間でスライド移動されることを特徴とする請求項１に記載のテーブルにおけるパネル装置。
【請求項３】
前記各パネル体には、前記第１透過部と前記第２透過部とが互いに水平方向に並設されており、前記少なくとも一方のパネル体は、水平方向にスライド移動されることを特徴とする請求項１または２に記載のテーブルにおけるパネル装置。
【請求項４】
前記第１透過部の透過率よりも前記第２透過部の透過率が低くなっていることを特徴とする請求項１ないし３のいずれかに記載のテーブルにおけるパネル装置。
【請求項５】
前記第１及び第２透過部は、偏光子として構成されており、第１透過部を透過した偏光の偏光面と、第２透過部を透過した偏光の偏光面と、が異なっていることを特徴とする請求項１ないし３のいずれかに記載のテーブルにおけるパネル装置。
【請求項６】
前記下部フレームには、粘着力を有する粘着部が設けられ、該粘着部が前記天板の上面に貼り付くことで、前記下部フレームが前記天板の上面に着脱可能に取り付けられることを特徴とする請求項１ないし５のいずれかに記載のテーブルにおけるパネル装置。
【発明の詳細な説明】
【技術分野】
【０００１】
本発明は、パネル体を用いて天板上の空間を仕切るテーブルにおけるパネル装置に関する。
【背景技術】
【０００２】
従来、多数の机（テーブル）を並べるオフィス等では、机の使用者が仕事に集中できるように、机の側面を囲むパネルが用いられたパネル付き机があり、このようなパネル付き机は、天板の側辺部または脚柱に複数のブラケットを設け、このブラケットのパネル支持部に、パネルの縦杆を上下に摺動自在に嵌合するとともに、縦杆をブラケットに対して所望の高さに段階的に保持する弾圧保持手段と、その位置にロックして停止する停止手段とを設けることで、パネルの高さを段階的に調節できるようにしている（例えば、特許文献１参照）。
【０００３】
【特許文献１】特開２００４−１３５８３３号公報（第４頁、第２図）
【発明の開示】
【発明が解決しようとする課題】
【０００４】
特許文献１に記載のパネル付き机は、机（テーブル）のパネルが高い位置に保持される遮蔽状態では、机の使用者が仕事に集中できるようになり便利である。しかしながら、オフィス等では、隣り合う机の使用者同士が顔を合わせて簡易な打ち合わせ等を行いたいという要望があり、そのような簡易な打ち合わせ等を行う際には、遮蔽状態のパネルが邪魔になるばかりか、パネルを低くするための調節も簡素な操作では行えないため、使用者同士が立ち上がって顔を合わせて打ち合わせをするしかなく、パネル付き机の使い勝手が悪くなるという問題がある。
【０００５】
本発明は、このような問題点に着目してなされたもので、簡素な構成でパネル装置を製作することができ、かつパネル体を用いて天板上の空間を遮蔽する遮蔽状態と、パネル体よりの先の空間を見渡す開放状態と、を容易に切り換えることができるテーブルにおけるパネル装置を提供することを目的とする。
【課題を解決するための手段】
【０００６】
前記課題を解決するために、本発明の請求項１に記載のテーブルにおけるパネル装置は、
パネル体を用いて天板上の空間を仕切るテーブルにおけるパネル装置であって、
前記天板上に配置される下部フレームには、該下部フレームから上方に向かって立設された少なくとも２つのパネル体が重畳されて設けられるとともに、該各パネル体の内、少なくとも一方のパネル体がスライド移動可能となっており、前記各パネル体には、所定の性質を有する第１透過部と、該第１透過部と異なる性質を有する第２透過部と、が設けられ、前記各パネル体における前記第１透過部同士及び前記第２透過部同士が重畳されたときの該パネル体全体の透過性と、前記各パネル体における前記第１透過部と前記第２透過部とが重畳されたときの該パネル体全体の透過性と、が異なるようになっていることを特徴としている。
この特徴によれば、使用者は、パネル体全体の透過性を低くしてパネル体を用いて天板上の空間を遮蔽する遮蔽状態と、パネル体全体の透過性を高くしてパネル体よりの先の空間を見渡せる開放状態と、を容易に切り換えることができ、かつ少なくとも一方のパネル体をスライド移動させることで、透過性が異なる２つの状態に切り換えられるパネル体を有するパネル装置を簡素な構成で製作することができる。
【０００７】
本発明の請求項２に記載のテーブルにおけるパネル装置は、請求項１に記載のテーブルにおけるパネル装置であって、
前記各パネル体には、前記第１透過部と前記第２透過部とが略等間隔に交互に並設されており、前記少なくとも一方のパネル体は、前記各パネル体における前記第１透過部同士及び前記第２透過部同士が重畳される位置と、前記各パネル体における前記第１透過部と前記第２透過部とが重畳される位置と、の間でスライド移動されることを特徴としている。
この特徴によれば、パネル体を第１透過部と第２透過部との間隔分だけスライド移動させることで、パネル装置の遮蔽状態と開放状態とを切り換えることができる。
【０００８】
本発明の請求項３に記載のテーブルにおけるパネル装置は、請求項１または２に記載のテーブルにおけるパネル装置であって、
前記各パネル体には、前記第１透過部と前記第２透過部とが互いに水平方向に並設されており、前記少なくとも一方のパネル体は、水平方向にスライド移動されることを特徴としている。
この特徴によれば、水平方向にパネル体をスライド移動させるだけで、パネル装置の遮蔽状態と開放状態とを切り換え易くなる。
【０００９】
本発明の請求項４に記載のテーブルにおけるパネル装置は、請求項１ないし３のいずれかに記載のテーブルにおけるパネル装置であって、
前記第１透過部の透過率よりも前記第２透過部の透過率が低くなっていることを特徴としている。
この特徴によれば、各パネル体における第１透過部同士及び第２透過部同士が重畳されると、重畳された第１透過部を介してパネル体よりの先の空間を見渡すことができる開放状態のパネル装置とすることができ、各パネル体における第１透過部と第２透過部とが重畳されると、透過率が低い第２透過部によって第１透過部が遮蔽されてパネル体よりの先の空間が遮蔽される遮蔽状態のパネル装置とすることができる。
【００１０】
本発明の請求項５に記載のテーブルにおけるパネル装置は、請求項１ないし３のいずれかに記載のテーブルにおけるパネル装置であって、
前記第１及び第２透過部は、偏光子として構成されており、第１透過部を透過した偏光の偏光面と、第２透過部を透過した偏光の偏光面と、が異なっていることを特徴としている。
この特徴によれば、各パネル体における第１透過部同士及び第２透過部同士が重畳されると、各パネル体における透過部の偏光面が揃って該両透過部を介してパネル体よりの先の空間を見渡すことができる開放状態のパネル装置とすることができ、各パネル体における第１透過部と第２透過部とが重畳されると、各パネル体における透過部の偏光面が異なって該両透過部を介してパネル体よりの先の空間が遮蔽される遮蔽状態のパネル装置とすることができる。
【００１１】
本発明の請求項６に記載のテーブルにおけるパネル装置は、請求項１ないし５のいずれかに記載のテーブルにおけるパネル装置であって、
前記下部フレームには、粘着力を有する粘着部が設けられ、該粘着部が前記天板の上面に貼り付くことで、前記下部フレームが前記天板の上面に着脱可能に取り付けられることを特徴としている。
この特徴によれば、下部フレームの粘着部という簡素な構成でパネル装置の天板に対する取付手段を構成することができ、パネル装置を天板に対して容易に着脱させることができる。
【発明を実施するための最良の形態】
【００１２】
本発明に係るテーブルにおけるパネル装置を実施するための最良の形態を実施例に基づいて以下に説明する。
【実施例１】
【００１３】
本発明の実施例を図面に基づいて説明すると、先ず図１は、本発明の適用されたパネル装置を示す斜視図であり、図２は、パネル装置の構成を示す分解斜視図であり、図３は、パネル装置を示す正面図であり、図４（ａ）は、図３におけるパネル装置の開放状態を示すＡ−Ａ断面図であり、図４（ｂ）は、図３におけるパネル装置の遮蔽状態を示すＡ−Ａ断面図である。以下、図３の紙面手前側をパネル装置の正面側（前方側）とし、図４（ａ）及び図４（ｂ）の紙面下方側をテーブルにおけるパネル装置の正面側（前方側）として説明する。
【００１４】
図１の符号１は、本発明の適用されたパネル装置である。このパネル装置１は、例えば、オフィス等に設置される本実施例におけるテーブルとしての机２において、机２の天板３の前後方向の中央で、天板３の左右方向の略全長に亘って天板３上の空間を仕切るパーティションとして使用される。尚、本実施例では、２人の使用者が机２の前後位置のそれぞれに座って使用するようになっており、後述するように、天板３上の空間をパネル装置１によって遮蔽したり、開放したりして使用するようになっている。
【００１５】
図２及び図３に示すように、パネル装置１は、正面視で長方形状の板体であるアクリル等の無色透明な樹脂材により形成された２枚のパネル体４，５を有している。このパネル体４，５は、前後に重畳して設けられるとともに、パネル体４，５は、下方から天板３上に配置されている下部フレーム６によって支持されている。尚、本実施例では、パネル体４，５をアクリル等の無色透明な樹脂材により形成しているが、パネル体４，５を無色透明なガラス板材等で形成してもよい。
【００１６】
この下部フレーム６は、樹脂材若しくはアルミ材等の押出成形により形成された略直方体形状の棒材であり、長手方向（左右方向）の長さがパネル体４の長手方向（左右方向）の長さよりも僅かに短く形成されている。そして、下部フレーム６の上面には、上方に向けて開口する溝条６ａが長手方向（左右方向）全長に亘って形成されている。
【００１７】
また、この溝条６ａの前後上端部には、幅方向（前後方向）中央に向けて突出片６ｂ，６ｂが突設されている。これら突出片６ｂ，６ｂによって、溝条６ａの上端部の幅方向（前後方向）の長さは、２枚のパネル体４，５を支持可能な長さ、つまり２枚のパネル体４，５を合わせた厚みと同じ長さに形成されている。
【００１８】
次に、下部フレーム６の左右端部には、側部フレーム７，７が取り付けられる。これら側部フレーム７，７は、下部フレーム６を挟んで左右対称に取り付けられる同一構成の部材であるので、一方の側部フレーム７について説明する。側部フレーム７は、下部フレーム６と同じく押出成形によって形成された略直方体形状の棒材であり、上下方向に延設されている。
【００１９】
更に、側部フレーム７の幅方向（前後方向）の長さは、下部フレーム６の幅方向（前後方向）の長さと同一に形成されている。そして、側部フレーム７の側面には、側方に向けて開口する溝条７ａが上下方向の全長に亘って形成されている。
【００２０】
この溝条７ａの前後側端部には、幅方向（前後方向）中央に向けて突出片７ｂ，７ｂが突設されている。これら突出片７ｂ，７ｂによって溝条７ａの上端部の幅方向（前後方向）の長さは、下部フレーム６の溝条６ａの上端部の幅方向（前後方向）の長さと同一に形成されている。
【００２１】
尚、側部フレーム７は、下部フレーム６に対して溝条７ａがパネル装置１の長手方向（左右方向）の中央に向くように取り付けられており、側部フレーム７の側面と下部フレーム６の側面が螺合部材（図示略）等で螺着されることにより取り付けられる。そのため下部フレーム６の溝条６ａと、側部フレーム７の溝条７ａは、互いに連通される。また、このとき、側部フレーム７の下端面は、下部フレーム６の下端面と面一となるように取り付けられる。
【００２２】
側部フレーム７の下端面には、粘着力を有する本実施例における粘着部としての粘着シート９が取り付けられている。この粘着シート９は、高粘着力であるとともに着脱が可能であるポリウレタンゲル等を板状に形成した部材である。この粘着シート９を介してパネル装置１が天板３に載置されることで、パネル装置１は天板３上に着脱可能に取り付けられている。
【００２３】
図２及び図３に示すように、パネル体４は、左右端部を側部フレーム７，７の溝条７ａ，７ａによって支持されながら、下部フレーム６の溝条６ａに挿通される。こうすることで、パネル体４は下部フレーム６に左右方向へ移動不能に固定される。
【００２４】
尚、図４（ａ）及び図４（ｂ）に示すように、パネル体４の後方側に配置されるパネル体５は、長手方向（左右方向）の長さが、パネル体４よりも短く形成されている。そのためパネル体５は、側部フレーム７，７間をスライド移動可能な状態で下部フレーム６によって支持される。
【００２５】
また、パネル体５の上端部には、上方に向かって操作板１０が延設されている。この操作板１０は、パネル体５と一体に形成されている。そして、図２及び図３に示すように、側部フレーム７，７の上部には、上方からパネル体４，５の上端部を支持する上部フレーム１１が取り付けられる。
【００２６】
この上部フレーム１１は、下部フレーム６と略同一形状である略直方体形状の棒材であり、側部フレーム７の側面と上部フレーム１１の側面が螺合部材（図示略）等で螺着されることにより取り付けられる
【００２７】
上部フレーム１１の下面には、下方に向けて開口する溝条１１ａが長手方向（左右方向）全長に亘って形成されている。また、この溝条１１ａの前後下端部には、幅方向（前後方向）中央に向けて突出片１１ｂ，１１ｂが突設されている。これら突出片１１ｂ，１１ｂによって、溝条６ａの下端部の幅方向（前後方向）の長さは、２枚のパネル体４，５を支持可能な長さ、つまり２枚のパネル体４，５を合わせた厚みと同じ長さに形成されている。
【００２８】
更に、上部フレーム１１には、上面から溝条１１ａにかけて貫通形成されたスライド孔１１ｃが形成されている。このスライド孔１１ｃは、上部フレーム１１が下部フレーム６に取り付けられる際に、パネル体５の操作板１０が下方から挿通可能なように上部フレーム１１に形成されている。そして、このスライド孔１１ｃ左右方向の長さは、パネル体５が側部フレーム７，７間をスライド移動する際に、操作板１０が左右方向に移動可能な長さに形成されている。
【００２９】
尚、側部フレーム７，７の上端面には、溝条７ａ，７ａを被覆するカバー部材１２，１２が取り付けられる。これらカバー部材１２，１２は、下端面を側部フレーム７，７の上端面に螺合部材（図示略）等で螺着することにより取り付けられる。また、その上面は、上部フレーム１１の上面と面一となることでパネル装置１の体裁を整えている。
【００３０】
次に、下部フレーム６及び上部フレーム１１によって上端縁及び下端縁が支持されたパネル体４，５について説明する。図２に示すように、パネル体４の正面及びパネル体５の背面のそれぞれには、左右方向に第１透過部１３（透明部）と第２透過部１４（不透明部）が並設されている。
【００３１】
詳しくは、これら第１透過部１３と第２透過部１４は、パネル体４の正面及びパネル体５の背面の上下方向の全長に亘って形成されている。また、これら第１透過部１３と第２透過部１４は、パネル体４の正面及びパネル体５の背面で左右方向に略等間隔で交互に並設されている。すなわち第１透過部１３と第２透過部１４とでパネル体４，５に縦縞模様が形成されている。
【００３２】
更に、第１透過部１３は、自然光の透過率が高い無色透明な部位となっている。尚、第２透過部１４は、パネル体４，５にすり加工により細かい傷をつけてすりガラス状態にすることで不透明な部位となっている。そのため第２透過部１４は自然光を拡散するので、第１透過部１３よりも自然光の透過率が低くなっている。
【００３３】
前述したように、パネル体４の正面及びパネル体５の背面を構成することで、パネル装置１は、操作板１０を左右に移動させることで、天板３上の空間を遮蔽する遮蔽状態と、天板３上のパネル装置１よりも先の空間を見渡すことができる開放状態とを切り換えることができる。
【００３４】
具体的には、図３及び図４（ａ）に示すように、パネル装置１の開放状態では、パネル体４とパネル体５の第１透過部１３同士が前後で重畳される。同じく、パネル体４とパネル体５の第２透過部１４同士も前後で重畳される。そのためパネル体４，５の第１透過部１３，１３が重畳される部位で第１透過部１３の透過性が維持されるので、第１透過部１３，１３を通して天板３上のパネル装置１よりの先の空間を見渡すことができる。
【００３５】
そして、図４（ｂ）に示すように、操作板１０を左右方向にスライド移動させると、パネル体５が左右方向にスライド移動され、パネル装置１は遮蔽状態となる。このとき、パネル体５が左右方向にスライド移動することによってパネル体４の第１透過部１３とパネル体５の第２透過部１４が前後で重畳される。同じく、パネル体４の第２透過部１４とパネル体５の第１透過部１３が前後で重畳される。つまり操作板１０を透過部１３，１４の左右幅と略同一の移動距離をスライド移動させることで、各パネル体４，５の透過部１３，１４同士が重畳される。
【００３６】
そのためパネル装置１は、その全面に亘って第１透過部１３よりも透過性の低い第２透過部１４が配置される。つまり、自然光はパネル装置１の全面で第２透過部１４によって拡散されてしまうので、天板３上の空間がパネル装置１によって遮蔽される。
【００３７】
尚、第２透過部１４の左右方向の幅は、第１透過部１３の左右方向の幅よりも若干大きく形成されている。そのため第１透過部１３と第２透過部１４とが重畳された際に、パネル体４の第２透過部１４と、パネル体５の第２透過部１４の左右端縁同士が若干重なり合うようになり、透過率が低い第２透過部１４同士の間に隙間が形成されずに済むようになる。更に尚、本実施例では、第１透過部１３の左右方向の幅が約１８ｍｍ、第２透過部１４の左右方向の幅が約２０ｍｍとなっている。
【００３８】
以上、本実施例におけるパネル装置１では、天板３上に配置される下部フレーム６には、下部フレーム６から上方に向かって立設された少なくとも２つのパネル体４，５が重畳されて設けられるとともに、各パネル体４，５の内、少なくとも一方のパネル体５がスライド移動可能となっており、各パネル体４，５には、所定の性質を有する第１透過部１３（透明部）と、第１透過部１３と異なる性質を有する第２透過部１４（不透明部）と、が設けられ、各パネル体４，５における第１透過部１３同士及び第２透過部１４同士が重畳されたときのパネル体４、５全体の透過性と、各パネル体４，５における第１透過部１３と第２透過部１４とが重畳されたときのパネル体４，５全体の透過性と、が異なるようになっていることで、使用者は、パネル体４，５全体の透過性を低くしてパネル体４，５を用いて天板３上の空間を遮蔽する遮蔽状態と、パネル体４，５全体の透過性を高くしてパネル体４，５よりの先の空間を見渡せる開放状態と、を容易に切り換えることができ、かつ少なくとも一方のパネル体５をスライド移動させることで、透過性が異なる２つの状態に切り換えられるパネル体４，５を有するパネル装置１を簡素な構成で製作することができる。
【００３９】
また、各パネル体４，５には、第１透過部１３と第２透過部１４とが略等間隔に交互に並設されており、少なくとも一方のパネル体５は、各パネル体４，５における第１透過部１３，１３同士及び第２透過部１４，１４同士が重畳される位置と、各パネル体４，５における第１透過部１３と第２透過部１４とが重畳される位置と、の間でスライド移動されることで、パネル体５を第１透過部１３と第２透過部１４との間隔分だけスライド移動させることで、パネル装置１の遮蔽状態と開放状態とを切り換えることができる。
【００４０】
また、各パネル体４，５には、第１透過部１３と第２透過部１４とが互いに水平方向に並設されており、少なくとも一方のパネル体５は、水平方向にスライド移動されることで、水平方向にパネル体５をスライド移動させるだけで、パネル装置１の遮蔽状態と開放状態とを切り換え易くなる。
【００４１】
また、前記第１透過部の透過率よりも前記第２透過部の透過率が低くなっていることで、各パネル体４，５における第１透過部１３，１３同士及び第２透過部１４，１４同士が重畳されると、重畳された第１透過部１３，１３を介してパネル体４，５よりの先の空間を見渡すことができる開放状態のパネル装置１とすることができ、各パネル体４，５における第１透過部１３と第２透過部１４とが重畳されると、透過率が低い第２透過部１４によって第１透過部１３が遮蔽されてパネル体４，５よりの先の空間が遮蔽される遮蔽状態のパネル装置１とすることができる。
【００４２】
また、下部フレーム６には、粘着力を有する粘着シート９が設けられ、粘着シート９が天板３の上面に貼り付くことで、下部フレーム６が天板３の上面に着脱可能に取り付けられることで、下部フレーム６の粘着シート９という簡素な構成でパネル装置１の天板３に対する取付手段を構成することができ、パネル装置１を天板３に対して容易に着脱させることができる。
【実施例２】
【００４３】
次に、実施例２に係るテーブルにおけるパネル装置につき、図５、図６、図７、図８を参照して説明する。尚、前記実施例に示される構成部分と同一構成部分に付いては同一符号を付して重複する説明を省略する。図５は、実施例２におけるパネル装置を示す斜視図であり、図６は、パネル装置の構成を示す分解斜視図であり、図７は、パネル装置を示す正面図であり、図８（ａ）は、図７におけるパネル装置の開放状態を示すＢ−Ｂ断面図であり、図８（ｂ）は、図７におけるパネル装置の遮蔽状態を示すＢ−Ｂ断面図である。以下、図７の紙面手前側をパネル装置の正面側（前方側）とし、図８（ａ）及び図８（ｂ）の紙面下方側をパネル装置の正面側（前方側）として説明する。
【００４４】
図５に示すように、実施例２における机２の天板３の前後方向の中央には、天板３の左右方向の略全長に亘って嵌合溝１５が設けられている。この嵌合溝１５は、実施例２におけるパネル装置１６の下部フレーム６が上方から嵌合可能な寸法に形成されている。また、天板３の下方から嵌合溝１５に向かって挿設した螺合部材（図示略）等により下部フレーム６を天板３に螺着することで、パネル装置１６を天板３の嵌合溝１５に固定可能となっている。
【００４５】
図６、図７及び図８に示すように、パネル体１７，１８はアクリル等の無色透明な樹脂材により形成されている。そして、パネル体１７の正面及びパネル体１８の背面には、左右方向に本実施例における第１透過部としての第１偏光フィルム１９と、本実施例における第２透過部としての第２偏光フィルム２０が貼り付けられている。
【００４６】
詳しくは、これら第１偏光フィルム１９と第２偏光フィルム２０はパネル体１７の正面及びパネル体１８の背面で上下方向の全長に亘って形成されている。また、これら第１偏光フィルム１９と第２偏光フィルム２０は、パネル体１７の正面及びパネル体１８の背面で左右方向に略等間隔で交互に貼り付けられている。すなわち第１偏光フィルム１９と第２偏光フィルム２０とでパネル体１７，１８に縦縞模様が形成されている。
【００４７】
第１及び第２偏光フィルム１９，２０について説明すると、これら第１及び第２偏光フィルム１９，２０は、あらゆる方向に振動している自然光から特定の偏光面を有する偏光のみを取り出す光学フィルターの一種であり、本実施例における偏光子を構成している。
【００４８】
また、第１偏光フィルム１９を透過した偏光の偏光面と、第２偏光フィルム２０を透過した偏光の偏光面は異なっており、第１偏光フィルム１９と第２偏光フィルム２０が重畳された場合には、これら２枚の第１及び第２偏光フィルム１９，２０によって自然光を遮蔽するようになっている。すなわち第１偏光フィルム１９を透過した偏光の偏光面と、第２偏光フィルム２０を透過した偏光の偏光面は、互いに直角に交わるようになっている。
【００４９】
次に本実施例におけるパネル装置１６の開放状態と遮蔽状態を説明する。図８（ａ）に示すように、開放状態では、パネル体１７とパネル体１８の第１偏光フィルム１９同士が前後で重畳される。同じく、パネル体１７とパネル体１８の第２偏光フィルム２０同士でも前後で重畳される。このとき、同じ偏光面を有する偏光が、第１偏光フィルム１９同士、若しくは偏光フィルム２０同士を透過するので、パネル体１７，１８を通して天板３上のパネル装置１６よりの先の空間を見渡すことができる。
【００５０】
また、図８（ｂ）に示すように、操作板２１を左右方向に移動させると、パネル体１８が左右方向にスライド移動され、パネル装置１６は遮蔽状態となる。このとき、パネル体１８が左右方向にスライド移動することによってパネル体１７の第１偏光フィルム１９とパネル体１８の第２偏光フィルム２０が前後で重畳される。同じく、パネル体１７の第２偏光フィルム２０とパネル体１８の第１偏光フィルム１９が前後で重畳される。
【００５１】
このとき、前述したように第１偏光フィルム１９を透過した偏光の偏光面と、第２偏光フィルム２０を透過した偏光の偏光面は異なっているので、自然光はパネル装置１６の全面で遮蔽される。
【００５２】
尚、第１偏光フィルム１９の左右方向の幅と第２偏光フィルム２０の左右方向の幅とは、略同一に形成されている。更に尚、本実施例では、第１及び第２偏光フィルム１９，２０の左右方向の幅が約２０ｍｍとなっている。
【００５３】
以上、実施例２におけるパネル装置１６では、偏光フィルム１９を透過した偏光の偏光面と、偏光フィルム２０を透過した偏光の偏光面と、が異なっていることで、各パネル体１７，１８における偏光フィルム１９，１９同士及び偏光フィルム２０，２０同士が重畳されると、各パネル体１７，１８における偏光フィルム１９，２０の偏光面が揃って両偏光フィルム１９，２０を介してパネル体１７，１８よりの先の空間を見渡すことができる開放状態のパネル装置とすることができ、各パネル体１７，１８における偏光フィルム１９と偏光フィルム２０とが重畳されると、各パネル体１７，１８における偏光フィルム１９，２０の偏光面が異なって両偏光フィルム１９，２０を介してパネル体１７，１８よりの先の空間が遮蔽される遮蔽状態のパネル装置１６とすることができる。
【００５４】
以上、本発明の実施例を図面により説明してきたが、具体的な構成はこれら実施例に限られるものではなく、本発明の要旨を逸脱しない範囲における変更や追加があっても本発明に含まれる。
【００５５】
例えば、前記実施例１，２では、第１透過部１３（第１偏光フィルム１９）と第２透過部１４（第２偏光フィルム２０）を、パネル体４（１７）の正面及びパネル体５（１８）の背面で左右方向に略等間隔で交互に並設したが、パネル体４の正面及びパネル体５の背面に第１透過部１３（第１偏光フィルム１９）と第２透過部１４（第２偏光フィルム２０）を市松模様（チェック模様）を成すように配置してもよい。
【００５６】
また、前記実施例１，２では、第１透過部１３（第１偏光フィルム１９）と第２透過部１４（第２偏光フィルム２０）とが縦縞模様を形成し、パネル体５（１８）が左右方向のスライド移動されることで、パネル装置１，１６の開放状態及び遮蔽状態を切り換えるようにしているが、第１透過部１３（第１偏光フィルム１９）と第２透過部１４（第２偏光フィルム２０）とを横縞模様に形成し、パネル体５（１８）を上下方向のスライド移動させることで、パネル装置１，１６の開放状態及び遮蔽状態を切り換えるようにしてもよい。
【００５７】
また、前記実施例１，２では、パネル体４，５（１７，１８）を下部フレーム６及び上部フレーム１１によって上下から支持したが、パネル体４の上下端部からパネル体４の上下方向の中央位置に向けてパネル体５を保持する保持片を延設して、これら保持片によってパネル体５を左右方向にスライド移動可能に支持してもよい。
【図面の簡単な説明】
【００５８】
【図１】本発明の適用されたパネル装置を示す斜視図である。
【図２】パネル装置の構成を示す分解斜視図である。
【図３】パネル装置を示す正面図である。
【図４】（ａ）は、図３におけるパネル装置の開放状態を示すＡ−Ａ断面図であり、（ｂ）は、図３におけるパネル装置の遮蔽状態を示すＡ−Ａ断面図である。
【図５】実施例２におけるパネル装置を示す斜視図である。
【図６】パネル装置の構成を示す分解斜視図である。
【図７】パネル装置を示す正面図である。
【図８】（ａ）は、図７におけるパネル装置の開放状態を示すＢ−Ｂ断面図であり、（ｂ）は、図７におけるパネル装置の遮蔽状態を示すＢ−Ｂ断面図である。
【符号の説明】
【００５９】
１                パネル装置
２                机（テーブル）
３                天板
４，５            パネル体
６                支持フレーム
９                粘着シート(粘着部)
１３              第１透過部
１４              第２透過部
１６              パネル装置
１７，１８        パネル体
１９              第１偏光フィルム（第１透過部，偏光子）
２０              第２偏光フィルム（第２透過部，偏光子）
【図１】
0005254638.tif 000002
【図２】
0005254638.tif 000003
【図３】
0005254638.tif 000004
【図４】
0005254638.tif 000005
【図５】
0005254638.tif 000006
【図６】
0005254638.tif 000007
【図７】
0005254638.tif 000008
【図８】
0005254638.tif 000009